(57)【特許請求の範囲】
【請求項１】
天井高さが互いに異なる第１屋内空間と第２屋内空間とを有し、前記第１屋内空間では第１天井面材により天井が構成され、前記第２屋内空間では前記第１天井面材よりも低い位置に設けられた第２天井面材により天井が構成されており、前記第１天井面材は前記第２天井面材の上方となる位置にも設けられており、前記第１天井面材と前記第２天井面材との間に下がり天井空間が形成されている建物に適用される空調設備であって、
前記第１天井面材の上であり、かつ前記第１屋内空間の上方となる位置及び前記第２屋内空間の上方となる位置に、空調装置から空調ダクトを介して空調空気が供給されるチャンバがそれぞれ設けられており、
前記第１屋内空間の天井では、前記チャンバの下端部に設けられた吹出部材から前記空調空気が吹き出され、
前記第２屋内空間の天井では、前記下がり天井空間に設けられ上端部が前記チャンバに接続されたチャンバ拡張部材と、そのチャンバ拡張部材の下端部に設けられた吹出部材とを通じて前記空調空気が吹き出されることを特徴とする建物の空調設備。
【請求項２】
直方体状をなすとともに、四隅に立設される４本の柱と前記柱に連結される天井大梁及び床大梁とを有して構成される建物ユニットを備え、その建物ユニットが複数組み合わされることにより構築されるユニット式建物に適用され、
複数の前記建物ユニットには、前記天井大梁の下面側に前記第１天井面材が固定され、複数の前記建物ユニットのうち空調対象となる各建物ユニットの前記第１天井面材の上に前記チャンバがそれぞれ設けられており、
前記空調対象となる各建物ユニットのうちいずれかの建物ユニットには、前記第１天井面材とその下方に固定された前記第２天井面材との間に下がり天井空間が形成され、その下がり天井空間に前記チャンバ拡張部材が設けられている請求項１に記載の建物の空調設備。
【請求項３】
前記下がり天井空間に設けられ、建物内における各屋内空間の換気を行う換気装置を備える建物に適用され、
前記下がり天井空間において前記換気装置の側方に前記チャンバ拡張部材が設けられていることを特徴とする請求項１又は２に記載の建物の空調設備。
【請求項４】
前記第２屋内空間の上方における前記チャンバの高さ寸法は、前記下がり天井空間の高さ寸法よりも大きいことを特徴とする請求項１乃至３のいずれか１項に記載の建物の空調設備。
【請求項５】
前記第２屋内空間の上方において、前記チャンバに連結される前記チャンバ拡張部材の上端部に、前記チャンバ及び前記チャンバ拡張部材の間の接続部分における空気の出入りを遮断する気密部材が設けられていることを特徴とする請求項１乃至４のいずれか１項に記載の建物の空調設備。
【請求項６】
前記第２屋内空間の上方において、前記チャンバは、前記第１天井面材の上側に設けられた上側下地材に固定されており、前記チャンバ拡張部材は、前記第１天井面材の下側に設けられた下側下地材に固定されていることを特徴とする請求項１乃至５のいずれか１項に記載の建物の空調設備。
【請求項７】
前記第１屋内空間としての居室と、前記第２屋内空間としての非居室とを有し、前記非居室の天井面材を前記第２天井面材とし、その上方に前記下がり天井空間が形成される建物に適用され、
前記非居室の上方における前記チャンバ及び前記チャンバ拡張部材を介して、前記空調空気が前記非居室に吹き出されることを特徴とする請求項１乃至６のいずれか１項に記載の建物の空調設備。
【発明の詳細な説明】
【技術分野】
【０００１】
本発明は、建物の空調設備に関するものである。
【背景技術】
【０００２】
住宅等の建物には、建物内の空調及び換気を行う空調換気システムが設けられている場合がある。例えば特許文献１においては、建物の内部に断熱領域と非断熱領域とが設けられており、そのうち断熱領域には空調装置が設けられ、非断熱領域には換気装置が設けられる構成が開示されている。このように、建物において空調装置と換気装置とを効率良く配置することに関して各種提案がなされている。なお、建物においては、空調装置と換気装置との組み合わせだけでなく、空調装置と他の装置との組み合わせについても同様に、これらを煩雑になることなく配置することが検討されている。
【０００３】
また、通常の天井高さ位置に第１天井面材を設けるとともに、それよりも下方に第２天井面材を設け、第１天井面材の上方を小屋裏空間、第１天井面材及び第２天井面材の間を下がり天井空間とする建物において、小屋裏空間に空調装置を設け、下がり天井空間に換気装置を設ける構成が考えられる。この場合、第１天井面材の上にチャンバを設けてその下方の屋内空間に対して空調空気を吹き出すようにすることが考えられる。
【先行技術文献】
【特許文献】
【０００４】
【特許文献１】特開２０１４−１３４２９５号公報
【発明の概要】
【発明が解決しようとする課題】
【０００５】
しかしながら、上記のように下がり天井空間を有する建物において、下がり天井空間の下方以外の屋内空間に対して空調空気を吹き出すことに加え、下がり天井空間の下方の屋内空間に対して空調空気を吹き出すようにする場合には、下がり天井空間の存在によって、空調空気吹き出しのための構成の実現が困難になると考えられる。つまり、下がり天井空間の下方以外の屋内空間に空調空気を吹き出す場合には、小屋裏空間にチャンバを設け、そのチャンバを介して空調空気を吹き出す構成にすればよいのに対し、下がり天井空間の下方の屋内空間に空調空気を吹き出す場合には、例えばチャンバの高さ寸法が下がり天井空間の高さ寸法よりも大きいことに起因してチャンバを設置できない等の不都合が生じる。
【０００６】
なお、下がり天井空間の下方の屋内空間は、一般に洗面室や脱衣室等の非居室とされることが多く、その非居室に対しては、個別空調を除いては空調空気の吹出が実施されていないのが現状である。
【０００７】
本発明は、上記事情に鑑みてなされたものであり、下がり天井空間の下方の屋内空間においても適正に空調空気を供給することができる建物の空調設備を提供することを主たる目的とするものである。
【課題を解決するための手段】
【０００８】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００９】
第１の発明は、第１天井面材（２７）の上に、空調装置（４１）から空調ダクト（４２）を介して空調空気が供給されるチャンバ（４３）が設けられ、そのチャンバを介して前記空調空気が前記第１天井面材の下方の屋内空間に吹き出される建物（１０）の空調設備であって、
前記第１天井面材の下方に設けられ、当該第１天井面材との間に下がり天井空間（３６）を形成する第２天井面材（３３）と、
前記下がり天井空間に設けられ、上端部が前記第１天井面材の上の前記チャンバに通じ、下端部が前記第２天井面材に設けられた吹出部材（４４）に通じるチャンバ拡張部材（６０）と、
を備えることを特徴とする。
【００１０】
上記構成では、下がり天井空間にチャンバ拡張部材が設けられ、そのチャンバ拡張部材により第１天井面材の上のチャンバと、第２天井面材に設けられた吹出部材とが連通される。したがって、空調装置から空調空気が供給される際には、空調ダクト、チャンバ、及びチャンバ拡張部材を介して、下がり天井空間の下方の屋内空間に対して空調空気が吹き出される。
【００１１】
この場合、下がり天井空間にチャンバ拡張部材を設けることにより、いずれの屋内空間に空調空気を吹き出すかに関係なくいずれも各チャンバの納まりを同様にしつつ、簡易な構成の対応にて下がり天井空間への空調空気の吹出を可能にすることができる。また、下がり天井空間に空調ダクトを設ける必要が無いため、下がり天井空間内の納まりが煩雑になることを抑制できる。その結果、下がり天井空間の下方の屋内空間においても適正に空調空気を供給することを実現できる。
【００１２】
第２の発明は、前記下がり天井空間に設けられ、屋内空間の換気を行う換気装置（５１）を備える建物に適用され、前記下がり天井空間において前記換気装置の側方に前記チャンバ拡張部材が設けられていることを特徴とする。
【００１３】
上記構成では、下がり天井空間内に換気装置が設けられる場合において、下がり天井空間内において換気用のダクトと空調ダクトとの取り回しが煩雑になるといった不都合を抑制できる。
【００１４】
第３の発明は、前記チャンバの高さ寸法は、前記下がり天井空間の高さ寸法よりも大きいことを特徴とする。
【００１５】
チャンバの高さ寸法が下がり天井空間の高さ寸法よりも大きい場合には、チャンバを下がり天井空間内に収容することが不可能になるが、かかる場合においても下がり天井空間の下方の屋内空間に対して、空調空気の吹き出しを実施することができる。
【００１６】
第４の発明は、前記チャンバに連結される前記チャンバ拡張部材の上端部に、前記チャンバ及び前記チャンバ拡張部材の間の接続部分における空気の出入りを遮断する気密部材（７３）が設けられていることを特徴とする。
【００１７】
チャンバとの連結部となるチャンバ拡張部材の上端部に気密部材を設けたため、チャンバとチャンバ拡張部材とにより形成される空間部について両者の接続部分における気密漏れを防ぐことができる。これにより空調性能を維持できる。
【００１８】
第５の発明は、前記チャンバは、前記第１天井面材の上側に設けられた上側下地材（７１）に固定されており、前記チャンバ拡張部材は、前記第１天井面材の下側に設けられた下側下地材（７２）に固定されていることを特徴とする。
【００１９】
チャンバとチャンバ拡張部材とは、第１天井面材の上側及び下側にそれぞれ設けられた下地材に各々固定されている。かかる構成によれば、下がり天井の施工及びチャンバ拡張部材の取り付けに際し、上側の第１天井面材に対するチャンバ及びチャンバ拡張部材の固定作業後に、第２天井面材の取り付け作業を行えばよく、施工作業を容易に実施できる納まりとなっている。
【００２０】
第６の発明は、居室（１７）と非居室（１６）とを有し、前記非居室の天井面材を前記第２天井面材とし、その上方に前記下がり天井空間が形成される建物に適用され、前記チャンバ及び前記チャンバ拡張部材を介して、前記空調空気が前記非居室に吹き出されることを特徴とする。
【００２１】
住宅等の建物は、居室以外に、洗面室、脱衣室、廊下等の非居室を有している。上記構成によれば、下がり天井空間が形成された上記非居室に対しても、空調を好適に実施できる。
【図面の簡単な説明】
【００２２】
【図１】建物の二階部分の構成を示す縦断面図。
【図２】チャンバ及びチャンバ拡張部材の構成を示す縦断面図。
【図３】ユニット式建物の概要を示す斜視図。
【図４】建物ユニットの構成を示す斜視図。
【発明を実施するための形態】
【００２３】
以下、本発明を具体化した一実施形態について図面を参照しつつ説明する。本実施形態では、複数の建物ユニットを用いて構築される鉄骨ラーメン構造のユニット式建物において本発明を具体化している。図３はユニット式建物の概要を示す斜視図であり、図４は建物ユニット２０の構成を示す斜視図である。
【００２４】
図３に示すように、住宅等の建物１０は、基礎１１上に設けられた建物本体１２と、その上方に設けられた屋根部１３とを備える。建物本体１２は、下階部としての一階部分１４と、上階部としての二階部分１５とを有する二階建てであり、複数の建物ユニット２０が互いに連結されることにより構成されている。建物ユニット２０は製造工場においてあらかじめ製造され、その後施工現場にトラック等により運搬されるものとなっている。また、屋根部１３は、切り妻式や寄せ棟式等、いずれかの形式の傾斜屋根として構成されている。
【００２５】
図４には建物ユニット２０の斜視図を示す。図４に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。天井大梁２２（詳細には、そのウエブ）には、複数の箇所に梁貫通孔２２ａが設けられている。
【００２６】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７（詳細には、後述する上側天井面材２７）が支持され、床小梁２６によって床面材２８が支持されている。
【００２７】
続いて、建物１０の二階部分１５の構成について図１に基づいて説明する。図１は、二階部分１５の構成を示す縦断面図である。
【００２８】
図１に示すように、二階部分１５には、屋内空間として洗面室１６と居室１７とが設けられている。洗面室１６は外壁部３１により屋外と仕切られている。洗面室１６が非居室に相当する。居室１７は間仕切壁３２により洗面室１６と仕切られている。洗面室１６は図示しない浴室に隣接して設けられていてもよく、洗面室１６が浴室に隣接する場合、洗面室１６が脱衣室として使用される構成であってもよい。なお、間仕切壁３２に出入口を設けるとともに、その出入口にドアを設ける構成とし、その出入口を介して洗面室１６と居室１７とを行き来可能にしてもよい。
【００２９】
洗面室１６や居室１７、その他図示しない屋内空間は横並びに設けられた複数の建物ユニット２０により形成されている。この場合、例えば洗面室１６及び居室１７は各々異なる建物ユニットにより形成されている。
【００３０】
続いて、二階部分１５の天井部の構成について説明する。
【００３１】
二階部分１５の天井部には、天井面材として、上側天井面材２７が設けられるとともに、上側天井面材２７の下方に配置された下側天井面材３３（下がり天井に相当）が設けられている。上側天井面材２７と下側天井面材３３とはいずれも石膏ボードにより構成されている。上側天井面材２７は、洗面室１６及び居室１７の各天井部（換言すると各建物ユニット２０の天井部）にそれぞれ設けられている。上側天井面材２７は、天井大梁２２及び天井小梁２５（図４参照）の下面に設けられた図示しない野縁により上方から支持されている。
【００３２】
また、下側天井面材３３は洗面室１６に設けられている。下側天井面材３３は、洗面室１６を挟んで対向する外壁部３１及び間仕切壁３２の間に架け渡された状態で支持されている。下側天井面材３３の支持構造は任意でよいが、例えば外壁部３１及び間仕切壁３２の間には下地フレームが架け渡されており、この下地フレームの下面側に下側天井面材３３が取り付けられている。
【００３３】
上記のように上側天井面材２７及び下側天井面材３３が配設されることで、居室１７については上側天井面材２７により天井面が形成され、洗面室１６については下側天井面材３３により天井面が形成されている。したがって、洗面室１６は、天井高さが居室１７よりも低くされた低天井空間となっているのに対し、居室１７は、天井高さが洗面室１６よりも高くされた高天井空間となっている。
【００３４】
上側天井面材２７の上方には、斜め方向に延びる屋根材１３ａの下方に小屋裏空間３５が形成されている。また、上側天井面材２７と下側天井面材３３との間には下がり天井空間３６が形成されている。これら小屋裏空間３５と下がり天井空間３６とは上側天井面材２７により上下に仕切られている。なお、小屋裏空間３５には、上側天井面材２７の上にグラスウール等よりなる断熱材が敷設されているが、ここでは図示を省略している。
【００３５】
また、建物１０には、二階部分１５の屋内空調を行う空調システム４０と、二階部分１５の屋内換気を行う換気システム５０とが設けられている。以下、これら空調システム４０及び換気システム５０の構成について説明する。
【００３６】
まず空調システム４０の構成について説明する。空調システム４０は、空調空気（暖気及び冷気）を生成する空調装置４１と、空調装置４１に接続された複数の空調ダクト４２と、各空調ダクト４２に接続された複数のチャンバ４３とを備えている。空調装置４１は、小屋裏空間３５に設置された室内機として構成されている。空調装置４１は、図示しない廊下等の空気を還気として取り込み、その還気をもとに空調空気を生成する。そして、空調装置４１は、その生成した空調空気を空調ダクト４２へ供給する。
【００３７】
空調装置４１の設置構造として具体的には、建物ユニット２０において向かい合う一対の天井大梁２２には、ブラケット等により支持プレート３７が取り付けられており、その支持プレート３７の上に空調装置４１が載置されている。
【００３８】
空調ダクト４２は、一端が空調装置４１に接続され、他端がチャンバ４３に接続されている。空調ダクト４２は、断熱性能を有しかつ湾曲可能なフレキシブルダクトにより構成されている。なお図１では、便宜上、空調ダクト４２を直線状に示している。チャンバ４３は、空調空気を給気ＳＡとして吹き出すことになる空調対象の屋内空間にそれぞれ設けられており、かかる屋内空間の上方となる上側天井面材２７の上に設置されている。チャンバ４３は、縦型の箱状をなしており、その下端には矩形状をなす開口を有している。そして、チャンバ４３の一側面に空調ダクト４２が接続されている。
【００３９】
例えば居室１７は、上側天井面材２７からの給気ＳＡの吹き出しが可能になっており、その上側天井面材２７にはチャンバ４３の下端側に吹出グリル４４が設けられている。空調装置４１が運転されると、空調装置４１で生成された空調空気が空調ダクト４２を介してチャンバ４３に供給され、その空調空気が吹出グリル４４から居室１７に向けて吹き出される。
【００４０】
また、本実施形態の建物１０では、洗面室１６についても空調対象の屋内空間としており、洗面室１６への給気ＳＡの吹き出しを可能としている。ただしその構成は居室１７とは異なるため、洗面室１６における給気ＳＡの吹き出しの構成については後述する。
【００４１】
続いて、換気システム５０の構成について説明する。換気システム５０は、換気装置５１と、換気装置５１に接続された複数のダクト５２〜５４とを備えている。換気装置５１は、洗面室１６の上方の下がり天井空間３６おいて下側天井面材３３の上に設置されている。
【００４２】
換気装置５１には、換気対象の各屋内空間に通じる給気ダクト５２と、屋外に通じる取込ダクト５３及び排出ダクト５４とが接続されている。取込ダクト５３及び排出ダクト５４はそれぞれ外壁部３１に形成された挿通孔３１ａに挿通されている。なお、図１では、取込ダクト５３及び排出ダクト５４が１つのダクトで示されているが、これら各ダクト５３，５４は紙面奥行き方向に並んで配置されている。また、下側天井面材３３には、換気装置５１の下側となる位置に、その換気装置５１に接続される吸込グリル５５が設けられている。
【００４３】
なお、換気装置５１は建物外部との間で空気を出入りさせるため、外壁付近に設けられることが考えられる。この場合、屋根部１３として傾斜屋根を有している構成では、軒下部分に無理なくダクト開口を設ける上で、下がり天井空間３６に換気装置５１を設けることが望ましい。
【００４４】
換気装置５１は、その内部に図示しない取込ファンと排気ファンとを有している。この取込ファンが作動すると、取込ダクト５３を介して屋外の空気（外気）が換気装置５１に取り込まれるとともに、その取り込まれた空気が給気ダクト５２を介して換気対象の各屋内空間に供給される。また、排気ファンが作動すると、吸込グリル５５を介して洗面室１６の空気（内気）が換気装置５１に吸い込まれ、その吸い込まれた空気が換気装置５１より排出ダクト５４を介して屋外に排出される。このようにして、屋内空間の換気が行われるようになっている。
【００４５】
次に、洗面室１６において空調のための給気ＳＡの吹き出しの構成について説明する。
【００４６】
洗面室１６の上方には下がり天井空間３６が形成されており、上側天井面材２７の上に設置されるチャンバ４３と、給気ＳＡが吹き出される下側天井面材３３とには上下方向の隔たりが生じている。そこで本実施形態では、チャンバ４３の下側にチャンバ拡張部材６０を接続し、そのチャンバ拡張部材６０を介して、洗面室１６への空調空気の供給、すなわち給気ＳＡの吹き出しを行うようにしている。
【００４７】
図２は、チャンバ拡張部材６０の構成を示す縦断面図である。図２において、チャンバ４３は、その下端の開口が、上側天井面材２７に形成された開口部２７ａに通じるようにして上側天井面材２７の上に設置されている。この場合、上側天井面材２７の上側には下地フレーム７１が設けられており、その下地フレーム７１に対してチャンバ４３がビス（例えば樹脂製ビス）等により固定されることで、上側天井面材２７の上にチャンバ４３が設置されている。この構造自体は、居室１７の上方に設けられたチャンバ４３と同様である。ただし、居室１７側と洗面室１６側との相違点として、居室１７側ではチャンバ４３の下端に吹出グリル４４が接続されるのに対し、洗面室１６側では吹出グリル４４の下端にチャンバ拡張部材６０が接続されている。チャンバ４３とチャンバ拡張部材６０とはいずれも同素材により形成されているとよく、例えば金属又は合成樹脂により形成されている。
【００４８】
チャンバ拡張部材６０は、下がり天井空間３６の高さ寸法Ｈ１と同じ上下寸法の本体部６１と、その本体部６１から上方に延びる接続部６２とを有している。本体部６１は、横断面がチャンバ４３の下端部と同様に矩形状をなしており、その横断面の大きさもチャンバ４３の下端部と略同じになっている。
【００４９】
また、接続部６２は、本体部６１よりも小さい寸法で形成されている。そして、接続部６２がチャンバ４３の開口側から組み付けられることにより、チャンバ４３の壁部と接続部６２とが内外に重なり、かかる状態において、上側天井面材２７の下側に設けられた下地フレーム７２に対してチャンバ拡張部材６０がビス（例えば樹脂製ビス）等により固定されている。下地フレーム７２の外側には、チャンバ４３とチャンバ拡張部材６０との接続部の気密性を確保すべく、チャンバ拡張部材６０の上端部を囲むようにして気密部材としてのパッキン７３が取り付けられている。
【００５０】
上側天井面材２７に対してチャンバ拡張部材６０を固定した状態において、チャンバ拡張部材６０の下端面に沿うように下側天井面材３３が取り付けられている。この場合、チャンバ拡張部材６０の下端面と下側天井面材３３との間には、気密部材としてのパッキン７４が取り付けられており、このパッキン７４によりチャンバ拡張部材６０の下端部における気密性が確保されている。また、下側天井面材３３にはチャンバ拡張部材６０の下端側に吹出グリル４４が設けられている。
【００５１】
下がり天井空間３６における空調設備の施工に際しては、上側天井面材２７の上側において下地フレーム７１に対してチャンバ４３が固定され、その後、上側天井面材２７の下側において下地フレーム７２に対してチャンバ拡張部材６０が固定される。このとき、パッキン７３による気密処理が施される。その後、チャンバ拡張部材６０の下端面との間にパッキン７４を介在させた状態で下側天井面材３３が取り付けられる。さらに、下側天井面材３３に吹出グリル４４が設けられる。
【００５２】
図２の構成において、空調装置４１で生成された空調空気が空調ダクト４２を介してチャンバ４３に供給されると、その空調空気がさらにチャンバ拡張部材６０を介して下流側に流れる。そして、吹出グリル４４から給気ＳＡとして洗面室１６に向けて吹き出される。
【００５３】
なお、下がり天井空間３６の高さ寸法Ｈ１は、チャンバ４３の高さ寸法Ｈ２よりも小さいため、チャンバ４３を下がり天井空間３６内に収容すること自体が不可になっている。しかしながら、上記建物１０の構成では、チャンバ４３自体はいずれも既存の構成を用いたまま、下がり天井部を有する洗面室１６においても、居室１７と同様の空調が実施される。
【００５４】
以上詳述した本実施形態によれば、以下の優れた効果が得られる。
【００５５】
上記構成では、下がり天井空間３６にチャンバ拡張部材６０を設けることにより、いずれの屋内空間に空調空気を吹き出すかに関係なくいずれも各チャンバ４３の納まりを同様にしつつ、簡易な構成の対応にて下がり天井空間３６への空調空気の吹出を可能にすることができる。また、下がり天井空間３６に空調ダクト４２を設ける必要が無いため、下がり天井空間３６内の納まりが煩雑になることを抑制できる。その結果、下がり天井空間３６の下方の屋内空間においても適正に空調空気を供給することを実現できる。
【００５６】
下がり天井空間３６に換気装置５１が設けられる構成において、その換気装置５１の側方にチャンバ拡張部材６０を設ける構成とした。この場合、下がり天井空間３６内において換気用のダクト５２〜５４と空調ダクト４２との取り回しが煩雑になるといった不都合を抑制できる。
【００５７】
チャンバ４３の高さ寸法が下がり天井空間３６の高さ寸法よりも大きい場合には、チャンバ４３を下がり天井空間３６内に収容することが不可能になるが、かかる場合においても下がり天井空間３６の下方の屋内空間に対して、空調空気の吹き出しを実施することができる。
【００５８】
チャンバ４３との連結部となるチャンバ拡張部材６０の上端部にパッキン７３を設けたため、チャンバ４３とチャンバ拡張部材６０とにより形成される空間部について両者の接続部分における気密漏れを防ぐことができる。これにより空調性能を維持できる。
【００５９】
チャンバ４３とチャンバ拡張部材６０とを、上側天井面材２７の上側及び下側にそれぞれ設けられた下地フレーム７１，７２に各々固定する構成とした。この場合、下がり天井の施工及びチャンバ拡張部材６０の取り付けに際しては、上側天井面材２７に対するチャンバ４３及びチャンバ拡張部材６０の固定作業後に、下側天井面材３３の取り付け作業を行えばよく、施工作業を容易に実施できる納まりとなっている。
【００６０】
建物１０において、下がり天井空間３６の下方に形成された洗面室１６に対して給気ＳＡ（空調空気）の吹出を可能とした。この場合、洗面室１６の冷暖房を可能にすることで、洗面室１６でのヒートショック軽減を図ることができる。
【００６１】
［他の実施形態］
本発明は上記実施形態の記載内容に限定されず、例えば次のように実施されてもよい。
【００６２】
・チャンバ拡張部材６０の構成を以下のように変更してもよい。例えば、チャンバ拡張部材６０において、下部分の開口横断面が上部分の開口横断面よりも拡張されている構成、又はその逆となる構成とする。また、チャンバ拡張部材６０において流路が鉛直方向に対して傾いている構成とする。また、チャンバ拡張部材６０の下部において流路が複数に分岐された構成とする。
【００６３】
・下がり天井空間３６の高さ寸法は一律でなくてもよく、異なる高さ寸法が設定されていてもよい。下がり天井空間３６の高さ寸法が異なっていても、上側天井面材２７の上に設けられるチャンバ４３についてはいずれも同じ構成及び納まりであればよく、チャンバ拡張部材６０を適宜使い分けることで対処できる。
【００６４】
・下がり天井空間３６に、換気装置５１以外の装置を設けることも可能である。例えば、住宅エネルギ関連の装置として蓄電や配電の設備を設けてもよい。
【００６５】
・下がり天井が形成される非居室は、洗面室以外に、脱衣室や廊下等であってもよい。この場合、やはり下がり天井空間にチャンバ拡張部材を設けることで、これら脱衣室や廊下等に対する冷暖房を可能にするとよい。
【００６６】
・上記実施形態では、ユニット式建物について説明したが、これに限定されず、他の工法の建物にも適用できる。例えば、鉄骨軸組工法により構築された建物や、木造在来工法で構築された建物にも適用できる。
【符号の説明】
【００６７】
１０…建物、１６…洗面室（非居室）、１７…居室、２７…上側天井面材（第１天井面材）、３３…下側天井面材（第２天井面材）、３６…下がり天井空間、４１…空調装置、４２…空調ダクト、４３…チャンバ、４４…吹出グリル（吹出部材）、５１…換気装置、６０…チャンバ拡張部材、７１，７２…下地フレーム（下地材）、７３…パッキン（気密部材）。
【図１】
0006511344.tif 000002
【図２】
0006511344.tif 000003
【図３】
0006511344.tif 000004
【図４】
0006511344.tif 000005